(57)【特許請求の範囲】
【請求項１】
チャンネル受信周波数を設定する選局手段と、放送波の受信レベル検出値を生成する手段と、アンテナ調整を行うことを示す操作及び終了を示す操作を受け付ける手段と、アンテナ調整を行うことを示す操作がなされたときに、受信レベル検出値が所定レベルより大であるか否かを判断し、大であるときには、受信レベル検出値が所定レベルまで悪化するように選局手段におけるチャンネル受信周波数をずらすように制御する一方、アンテナ調整が終了したことを示す操作がなされたときに、通常の選局処理に復帰させることができる制御手段と、を備えたことを特徴とする放送受信装置。
【請求項２】
請求項１に記載の放送受信装置において、前記アンテナ調整を行うことを示す操作及び終了を示す操作を受け付ける手段は、アンテナ調整を行なうかどうかを利用者に問うメッセージを画面に表示することを特徴とする放送受信装置。
【請求項３】
請求項１又は請求項２に記載の放送受信装置において、オートファインチューニング手段を備えると共に、アンテナ調整を行うことを示す操作がなされた後、受信レベル検出値を所定レベルまで悪化させる制御を行う前にオートファインチューニング処理を停止することを特徴とする放送受信装置。
【請求項４】
請求項１乃至請求項３のいずれかに記載の放送受信装置において、ノイズリダクション手段を備えると共に、アンテナ調整を行うことを示す操作がなされた後、受信レベル検出値を所定レベルまで悪化させる制御を行う前にノイズリダクション処理を停止することを特徴とする放送受信装置。
【請求項５】
請求項１乃至請求項４のいずれかに記載の放送受信装置において、チャンネル受信周波数をずらす処理を所定幅で１ステップずつ行なう一方、受信レベル検出値と所定レベルとの差異が所定値以上であるときには一度に複数ステップずらすように構成されたことを特徴とする放送受信装置。
【請求項６】
請求項１乃至請求項５のいずれかに記載の放送受信装置において、選局手段を構成するＩＣのアナログ／デジタル変換ポートに放送波の受信レベル検出値が入力され、制御手段は前記選局手段から受信レベル検出値をディジタル値で受け取るように構成されたことを特徴とする放送受信装置。
【発明の詳細な説明】
【０００１】
【産業上の利用分野】
この発明は衛星放送等の微弱な電波を高指向性で受信するアンテナを用いる放送受信装置に関する。
【０００２】
【従来の技術】
衛星放送受信用のアンテナは衛星からの微弱な電波を受信するためにパラボラ形状を持ち、高い指向性を有する。このため、アンテナの設置時にはアンテナが衛星位置を向くように方位角と仰角を正確に合わせる必要がある。通常、方位角は磁石が指す方向に基づいて調整し、仰角は取付金具の仰角目盛りや分度器で調整する。この段階ではアンテナ位置の粗調整が行なわれたにすぎず、その後、放送受信装置の画面や音声を確認しながらアンテナの向きを微調整し、アンテナを最良の方向に向けて固定することが行なわれる。
【０００３】
また、画面や音声に代えて、放送波の受信レベル検出値を生成し、この受信レベル検出値の表示に基づくアンテナ微調整も多く行なわれる。そして、受信レベル検出値を表すものとしてチューナのＡＧＣ電圧を利用する技術（特公平６−３８５６４号公報参照：ＩＰＣ  Ｈ０１Ｑ  ３／０２）やＣ／Ｎ比を利用する技術がある。Ｃ／Ｎ比は受信した映像や音声に強く関係し、アンテナ調整において高い精度を確保できるため、近年においては、ＡＧＣ電圧よりもＣ／Ｎ比を利用することが多くなっている。
【０００４】
図６は従来のＢＳ放送受信装置を示したブロック図である。ＢＳチューナ回路段１１はＰＬＬ選局回路１１ａ等を備え、選局マイコン１５から指令されたチャンネルの放送波の中間周波数信号（ＩＦ）を生成する。中間周波数（ＩＦ）回路段１２は、信号増幅回路、ＡＧＣ回路、オートファインチューニング（ＡＦＴ）回路１２ａ、検波回路１２ｂ等を備える。ＡＦＴ回路１２ａは映像中間周波数が所定周波数を維持するようにＰＬＬ選局回路１１ａに対して局部発振周波数の調整信号（ＡＦＴアップリクエスト信号／ＡＦＴダウンリクエスト信号）を与える。検波回路１２ｂは映像検波を行なう。映像処理回路段１３は復調によって映像信号を生成し、音声処理回路段１４は音声信号を生成する。Ｃ／Ｎ値検出回路１３ａは、Ｃ／Ｎ比に相当する検出電圧値を生成する。
【０００５】
アンテナ調整のためにＡＧＣを利用する場合には、前記ＡＧＣ回路からのＡＧＣ電圧値が選局マイコン１５のＡ／Ｄ変換ポートに入力され、選局マイコン１５はディジタル値とされたＡＧＣ電圧値に基づいてアンテナ調整表示データを生成し、画面上に表示する。
【０００６】
アンテナ調整のためにＣ／Ｎ比を利用する場合には、前記Ｃ／Ｎ値検出回路１３ａからのＣ／Ｎ比に相当する検出電圧値が選局マイコン１５のＡ／Ｄ変換ポートに入力され、選局マイコン１５はディジタル値化されたＣ／Ｎ比に相当する検出電圧値に基づいてアンテナ調整表示データを生成し、画面上に表示する。
【０００７】
【発明が解決しようとする課題】
ところで、前記Ｃ／Ｎ値検出回路１３ａとして簡易的な回路（例えば、高域周波数簡易ＢＰＦ（バンドパスフィルタ）で検出する回路等）であると、図７に示すように、Ｃ／Ｎ比＝５〜１８ｄＢ付近では検出電圧値がＣ／Ｎ比に比例して上昇するものの、それ以上では検出電圧値が飽和することがある。近年、アンテナ技術の向上により、標準アンテナや大型アンテナは勿論、小型ＢＳアンテナでもＣ／Ｎ比は２０ｄＢ以上あるため、検出電圧値は飽和領域にくることになり、アンテナの精密設置は困難となる。このため、アンテナ設置後の本受信において多少の雨雪といった気象変化等で受信チャンネルの放送信号のＣ／Ｎ比が大幅に劣化することがある。また、前記ＡＧＣ回路からのＡＧＣ電圧値や前記Ｃ／Ｎ値検出回路１３ａからのＣ／Ｎ比に相当する検出電圧値を選局マイコン１５のＡ／Ｄ変換ポートに入力することとしており、このために余計な配線パターンが必要になり、更に、この配線パターンが高周波ビート成分を拾うことになる。そして、この高周波ビート成分のためにコイルやコンデンサーを付加する対策が必要になってしまう。
【０００８】
この発明は、上記の事情に鑑み、アンテナ調整のための受信レベル検出値に飽和状態が生じる場合でもアンテナの精密設置を可能にし、また、アンテナ調整のための受信レベル検出値が高周波によって影響されるのを防止できる放送受信装置を提供することを目的とする。
【０００９】
【課題を解決するための手段】
この発明の放送受信装置は、上記の課題を解決するために、チャンネル受信周波数を設定する選局手段と、放送波の受信レベル検出値を生成する手段と、受信レベル検出値が所定レベルより大であるか否かを判断し、大であるときには受信レベル検出値が所定レベルまで悪化するように選局手段におけるチャンネル受信周波数をずらすように制御する一方、通常の選局処理に復帰させることができる制御手段と、を備えたことを特徴とする。
【００１０】
上記の構成であれば、アンテナ調整のための受信レベル検出値に飽和状態が生じるような場合でも、選局手段におけるチャンネル受信周波数をずらして受信レベル検出値を所定レベルまで悪化させることができる。前記所定レベルを非飽和領域（線形領域）の所定点（例えばトランケーションノイズの出始め点）あたりに設定することで、アンテナの向き微調整において受信レベル検出値が変化してくれることになり、アンテナの精密設置が可能となる。
【００１１】
アンテナ調整を行なうかを利用者に問うメッセージを画面に表示し、アンテナ調整を行なうことを示す操作がなされたときに、受信レベル検出値を所定レベルまで悪化させる制御を行い、アンテナ調整が終了したことを示す操作がなされたときに、通常の選局処理に復帰するように構成されているのがよい。
【００１２】
オートファインチューニング手段を備えると共に、受信レベル検出値を所定値レベルまで悪化させるときにはオートファインチューニング処理を停止するように構成されているのがよい。また、ノイズリダクション手段を備えると共に、受信レベル検出値を所定値レベルまで悪化させるときにはノイズリダクション処理を停止するように構成されているのがよい。
【００１３】
チャンネル受信周波数をずらす処理を所定幅で１ステップずつ行なう一方、受信レベル検出値と所定レベルとの差異が所定値以上であるときには一度に複数ステップずらすように構成されていてもよい。
【００１４】
選局手段を構成するＩＣのアナログ／デジタル変換ポートに放送波の受信レベル検出値が入力され、制御手段は前記選局手段から受信レベル検出値をディジタル値で受け取るように構成されていてもよい。かかる構成であれば、受信レベル検出値は選局手段を構成するＩＣのアナログ／デジタル変換ポートに入力され、制御手段は前記選局手段から受信レベル検出値をディジタル値で受け取るので、受信レベル検出値を制御手段側へ与えるために配線パターンを引き回す必要がなく、従って、高周波ビート成分を拾うことがなく、その対策も不要となる。
【００１５】
【発明の実施の形態】
以下、この発明の実施形態におけるＢＳアナログ放送受信装置を図１乃至図５に基づいて説明する。
【００１６】
ＢＳチューナ回路段１は高周波回路やＰＬＬ選局回路１ａ等を備えて成る。高周波回路は、ＢＳアンテナからＢＳ−ＩＦ（中間周波数）信号を入力して増幅する。ＰＬＬ選局回路１ａは、希望チャンネルの信号（放送波）と局部発振信号とを混合して第２中間周波数信号（ＩＦ）を生成するものであり、ＩＣ回路化されている。局部発振信号はＰＬＬシンセサイザーから出力される。ＰＬＬシンセサイザーは、混合器（ミキサ）から所定の第２中間周波数信号が生成されるように、希望チャンネルの信号に対応させて変化させた局部発振信号を生成する。希望チャンネルの選局情報は選局マイコン５から与えられる。
【００１７】
中間周波数（ＩＦ）回路段２は、信号増幅回路、ＡＧＣ回路、オートファインチューニング（ＡＦＴ）回路２ａ、検波回路２ｂ等を備える。ＡＦＴ回路２ａは映像中間周波数が所定周波数を維持するようにＰＬＬ選局回路１ａに対して局部発振周波数の調整信号（ＡＦＴアップリクエスト信号／ＡＦＴダウンリクエスト信号）を与える。検波回路２ｂは映像検波を行なう。
【００１８】
映像処理回路段３は復調によって映像信号を生成し、音声処理回路段４は音声信号を生成する。ノイズリダクション（ＮＲ）回路３ａは検波映像信号からノイズを除去する。Ｃ／Ｎ値検出回路３ｂは、Ｃ／Ｎ比に相当する検出電圧値を生成する。Ｃ／Ｎ値検出回路３ｂは簡易的な回路（例えば、高域周波数簡易ＢＰＦ（バンドパスフィルタ）で検出する回路等）でよく、例えばＣ／Ｎ比＝１８ｄＢ以上で検出電圧値が飽和してもかまわない。
【００１９】
この実施形態では、アンテナ調整のためにＣ／Ｎ比を利用する。前記Ｃ／Ｎ値検出回路３ｂからのＣ／Ｎ比に相当する検出電圧値は、ＰＬＬ選局回路１ａのＡ／Ｄ変換ポートに入力される。ＰＬＬ選局回路１ａはＡ／Ｄ変換ポートに入力された検出電圧値をディジタル値に変換する。検出電圧値を４ビットのディジタル値で表すときには、図３に示すように、１６段階の値を設定できる。ここで、例えば、検出電圧値が０．４３７５×Ｖｃｃ〜０．５×Ｖｃｃ（Ｖｃｃ＝５Ｖとする）の範囲であるとき、４ビット値は”０１１１”となる。また、検出電圧値を３ビットのディジタル値にするときには、図３に示すように、例えば５段階の値を設定する。
【００２０】
この実施形態で用いたＰＬＬ選局回路１ａを構成するＩＣにはＰ７，Ｐ６，Ｐ５，Ｐ４，Ｐ３，Ｐ０のポートがあり、Ｐ６はＡ／Ｄ変換ポートである。データ転送やコマンド出力の制御にはＩＩＣバスを用いている。図２（ａ）はＩＩＣバスにおけるライト・データ・フォーマットを示した説明図であり、図２（ｂ）はＩＩＣバスにおけるリード・データ・フォーマットを示した説明図である。選局マイコン５は、ＩＩＣバス上でリード／ライトを実行することにより、ＰＬＬ選局回路１ａでディジタル値化された検出電圧値（３ビットディジタル値であれば（Ａ０，Ａ１，Ａ２））を受け取り、この検出電圧値に基づいてアンテナ調整表示データを生成し、画面上に表示する。
【００２１】
ここで、Ｃ／Ｎ値検出回路３ｂの出力特性が従来項で用いた図７のようであるとすると、非飽和領域（線形領域）の略中間点のＣ／Ｎ値は１４ｄＢとなり、このＣ／Ｎ値＝１４ｄＢに対応する検出電圧値は２．５Ｖとなる。このとき、選局マイコン５が受け取る検出電圧値は４ビット値で”０１１１”となる（アナログ電圧では０．４３７５×Ｖｃｃ〜０．５×Ｖｃｃ（Ｖｃｃ＝５Ｖとする））。
【００２２】
選局マイコン５は、アンテナ調整時（ＡＦＴ動作停止、ノイズリダクション動作停止とする）、検出電圧値として４ビット値で”０１１１”より大きな値を受け取ったときには、ＡＦＴ回路２ａ側からＰＬＬ選局回路１ａに対して局部発振周波数の調整信号（ＡＦＴアップリクエスト信号／ＡＦＴダウンリクエスト信号）が与えられるようにＩＩＣバスを通じて指令を出す。この指令は、検出電圧値として４ビット値で”０１１１”が得られるまで行なう。検出電圧値として４ビット値で”０１１１”が得られたときを、選局マイコン５はアンテナ微調整が行なわれるべき状態であると判断する。
【００２３】
以下、アンテナ調整に係わる処理を図５のフローチャートに基づいて説明していく。放送受信装置の初期設置時の電源ＯＮにおいては（ステップＳ１）、例えばアンテナ設定済みフラグはリセットされており、画面には「アンテナを調整しますか」といったメッセージが表示される（ステップＳ２）。このメッセージと共に表示されている例えば「ＹＥＳ」「ＮＯ」ボタンにおいて、「ＹＥＳ」が利用者によって選択されると、選局マイコン５はＰＬＬ選局回路１ａの空ポートを利用してノイズリダクション（ＮＲ）回路３ａにおけるノイズリダクション動作を停止させ（ステップＳ３）、更に、選局マイコン５の指令によってＡＦＴ回路２ａにおけるＡＦＴ動作は停止される（ステップＳ４）。なお、ＢＳアンテナは既に設置されていて粗調整済みである。
【００２４】
次に、検出電圧値が２．５Ｖ以上（Ｃ／Ｎ値で１４ｄＢ以上、４ビット値で”１０００”以上）か否かを判断する（ステップＳ５）。ＹＥＳのときには、更に検出電圧値が２．８１２５Ｖ以上（４ビット値で”１００１”以上）か否かを判断する（ステップＳ６）。ステップＳ６でＮＯとされたときには、局部発振周波数の調整信号（ＡＦＴアップリクエスト信号／ＡＦＴダウンリクエスト信号）において１ステップ分ずらす処理を行なう（ステップＳ８）。すなわち、受信状態を意図的に悪化させる。また、ステップＳ６でＹＥＳとされたときには、局部発振周波数の調整信号（ＡＦＴアップリクエスト信号／ＡＦＴダウンリクエスト信号）において２ステップ分ずらす処理が行なわれることになり（ステップＳ７→ステップＳ８）、処理が迅速に行なわれる。
【００２５】
ステップＳ５でＮＯとされたときには、現時点の受信状態が図７において直線域に存在することになり、アンテナ精密調整の実施を促すメッセージを画面に表示する（ステップＳ９）。このメッセージを受けてアンテナ調整者はＢＳアンテナの向きを少しずつ変えてみることになる。この作業により、検出電圧値は２．５Ｖ（Ｃ／Ｎ値で１４ｄＢ、４ビット値で”０１１１”）近辺で推移することになる。検出電圧値は数値やバー等で画面表示されており、アンテナ調整者は最も高い検出電圧値が得られたときのＢＳアンテナの向きをしっかりと固定することになる。その後、アンテナ調整者が放送受信装置に対して調整終了を意味する操作を行ない、放送受信装置はアンテナ終了を認識する（ステップＳ１０）。アンテナ調整終了後は、ＡＦＴ回路２ａにおけるＡＦＴ動作及び、ノイズリダクション（ＮＲ）回路３ａにおけるノイズリダクション動作をＯＮにする（ステップＳ１１）。
【００２６】
このように、ＢＳアンテナ調整のための検出電圧値に飽和状態が生じるような場合でも、ＰＬＬ選局回路１ａにおけるチャンネル受信周波数をずらし、検出電圧値を、非飽和領域（線形領域）の所定点（例えばトランケーションノイズの出始め点）あたりに設定することができ、この設定状態では、ＢＳアンテナの向き調整において検出電圧値が敏感に変化してくれることになり、アンテナの精密設置が可能となる。
【００２７】
また、前記Ｃ／Ｎ値検出回路３ｂからのＣ／Ｎ比に相当する検出電圧値は、ＰＬＬ選局回路１ａのＡ／Ｄ変換ポートに入力され、選局マイコン５はディジタル値化された検出電圧値をＰＬＬ選局回路１ａから受け取る。かかる構成は、Ｃ／Ｎ値検出回路３ｂからのＣ／Ｎ比に相当する検出電圧値を選局マイコン５のＡ／Ｄ変換ポートに入力する構成に比べ、配線を引き回すことが不要になる利点があり、従って、高周波ビート成分を拾うことがなく、その対策も不要となる。
【００２８】
なお、この実施形態では、アンテナ調整のためにＣ／Ｎ比を利用することとしたが、ＡＧＣ電圧をアンテナ調整のために用いる構成においても適用できる。また、この場合において、選局マイコン５はディジタル値化されたＡＧＣ電圧をＰＬＬ選局回路１ａから受け取るようにすることができる。
【００２９】
【発明の効果】
以上説明したように、この発明によれば、アンテナ調整のための受信レベル検出値に飽和状態が生じる場合でもアンテナの精密設置を可能にできる。また、アンテナ調整のための受信レベル検出値が高周波によって影響されるという事態を防止することができる。
【図面の簡単な説明】
【図１】この発明の実施形態の放送受信装置を示したブロック図である。
【図２】同図（ａ）ＩＩＣバスにおけるライト・データ・フォーマットを示した説明図であり、同図（ｂ）はＩＩＣバスにおけるリード・データ・フォーマットを示した説明図である。
【図３】検出電圧値（アナログ値）と４ビットのディジタル値の検出電圧値との関係を示した説明図である。
【図４】検出電圧値（アナログ値）と３ビットのディジタル値の検出電圧値との関係を示した説明図である。
【図５】放送受信装置のアンテナ設置時の処理内容を示したフローチャートである。
【図６】従来の放送受信装置を示したブロック図である。
【図７】実際のＣ／Ｎ値（ｄＢ）に対する検出電圧値（アナログ値）特性を示したグラフである。
【符号の説明】
１    ＢＳチューナ回路段
１ａ  ＰＬＬ選局回路
２    中間周波数回路段
２ａ  ＡＦＴ回路
２ｂ  検波回路
３    映像処理回路
３ａ  ＮＲ回路
３ｂ  Ｃ／Ｎ検出回路
４    音声処理回路
５    選局マイコン
【図１】
0003883895.tif 000002
【図２】
0003883895.tif 000003
【図３】
0003883895.tif 000004
【図４】
0003883895.tif 000005
【図５】
0003883895.tif 000006
【図６】
0003883895.tif 000007
【図７】
0003883895.tif 000008